(57)【要約】【課題】組立箱の上方を開放させた状態でも前板が前方に倒れることなく箱形状を維持することができる組立箱を提供する。【解決手段】底板２に連設した後板３を起立させ、後板３に連設した外側板６を起立させる。外側板６に連設した内底板７を底板２上で突き合わせ、係合部７ａ，７ｂにより互いに係合させる。底板２に連設した前板４を起立させ、前板４に連設した内側板１１を外側板６の内側に重合させる。内側板１１に形成された係止孔１２に、外側板から遊離する係止片１３を差し込み係止させる。これにより、外側板６と内側板１１とが重合状態で連結され、組立箱１の組立て状態が維持される。【選択図】図２
0003175537.tif 000002
【実用新案登録請求の範囲】
【請求項１】
矩形状の底板の後端縁に連設する後板を前記底板に対して起立させ、前記後板の左右両側縁に外側板が夫々連設され、該外側板の下端縁に内底板が夫々連設され、該内底板を前記外側板に対して内側へ直角に折り曲げ、前記外側板を前記後板に対して内側へ直角に折り曲げて、前記内底板が前記底板上に配置され、両内底板の向かい合う先端を突き合わせて両内底板に設けた係合部を互いに係合させ、前記底板の前端縁に連設する前板を前記底板に対して起立させ、前記前板の左右両側縁に内側板が夫々連設され、該内側板を前記前板に対して内側へ直角に夫々折り曲げて、該内側板を前記外側板の内面に重ね合わせ、該内側板に形成された係止孔に、前記外側板から遊離する係止片を差し込み係止させて、該外側板と前記内側板とを重合状態に連結することを特徴とする組立箱。
【請求項２】
前記係止孔に前記係止片を差し込み係止することによって、重合状態の前記外側板と前記内側板とを貫通する手掛け口が形成されることを特徴とする請求項１記載の組立箱。
【考案の詳細な説明】
【技術分野】
【０００１】
本考案は、板材を折り曲げて形成される組立箱に関する。
【背景技術】
【０００２】
従来の段ボール製の組立箱としては、矩形状の底板の後端縁に沿って起立する後板と、後板の上端縁に連設された外フラップと、後板の左右両側縁に連設された外側板と、外側板の上端縁に連設された内フラップと、外側板の下端縁に連設された内底板とを備え、内底板を外側板に対して内側へ直角に折り曲げ、外側板を後板に対して直角に折り曲げることにより、内底板を底板上に配置し、両内側板の先端を互いに係合させたものが知られている（例えば、実用新案登録第３１４２２４９号参照）。
【０００３】
この組立箱では、底板の前端縁に沿って起立する前板と、前板の左右両側縁に連設された内側板と、前板の上端縁に連設されたオーバーフラップと、オーバーフラップの先端に設けられた差し込み片とが設けられている。そして、内フラップと外フラップを閉じた状態で、オーバーフラップの差し込み片を、外フラップと後板との間に設けられた差込孔に差し込むことにより、組立箱の上面が閉じられる。
【０００４】
従来の組立箱では、オーバーフラップの先端に設けられた差し込み片を差込孔に差し込まなければ、前板が起立した状態を維持できない。このため、上部を開放した状態（オーバーフラップを開いた状態）で上方から物品を組立箱内に入れるとき、前板に前方への力が加わると、前板が容易に前方へ倒れてしまい、組立箱内に収容物を収容し難いという問題がある。
【考案の概要】
【考案が解決しようとする課題】
【０００５】
本考案は、以上の点に鑑み、組立箱の上方を開放させた状態でも前板が前方に倒れることなく箱形状を維持することができる組立箱を提供することを目的とする。
【課題を解決するための手段】
【０００６】
上記目的を達成するため、本考案は、矩形状の底板の後端縁に連設する後板を前記底板に対して起立させ、前記後板の左右両側縁に外側板が夫々連設され、該外側板の下端縁に内底板が夫々連設され、該内底板を前記外側板に対して内側へ直角に折り曲げ、前記外側板を前記後板に対して内側へ直角に折り曲げて、前記内底板が前記底板上に配置され、両内底板の向かい合う先端を突き合わせて両内底板に設けた係合部を互いに係合させ、前記底板の前端縁に連設する前板を前記底板に対して起立させ、前記前板の左右両側縁に内側板が夫々連設され、該内側板を前記前板に対して内側へ直角に夫々折り曲げて、該内側板を前記外側板の内面に重ね合わせ、該内側板に形成された係止孔に、前記外側板から遊離する係止片を差し込み係止させて、該外側板と前記内側板とを重合状態に連結することを特徴とする。
【０００７】
本考案によれば、内側板に形成された係止孔に、前記外側板から遊離する係止片を差し込み係止させて、外側板と内側板とを重合状態で連結することにより、外側板及び内側板を介して後板及び前板の起立状態が確実に維持される。従って、本考案によれば、組立箱の上方を開放させた状態でも前板が前方に倒れることなく箱形状を維持することができる。
【０００８】
また、本考案において、前記係止孔に前記係止片を差し込み係止することによって、重合状態の前記外側板と前記内側板とを貫通する手掛け口が形成されることが好ましい。これによれば、係止片を差し込んだ係止孔による手掛け口に手指を掛けて組立箱を容易に持ち運べるだけでなく、前記係止孔及び前記係止片を設けたことによる組立箱の外観低下を防止することができる。
【図面の簡単な説明】
【０００９】
【図１】本考案の実施形態の組立箱をフラップを開いた状態で示す斜視図。
【図２】本実施形態の組立箱の展開図。
【図３】本実施形態の組立箱の組み立て作業の一部を示す斜視図。
【図４】図３に続く組立箱の組み立て作業を示す斜視図。
【図５】図４に続く組立箱の組み立て作業を示す斜視図。
【考案を実施するための形態】
【００１０】
本考案の一実施形態を図面に基づいて説明する。図１に示すように、本考案の実施形態の組立箱１は略直方体からなり、段ボール板紙を図２に示す形状に打ち抜いて形成している。図１では、組立箱１の後述する外フラップ５，１０及び内フラップ８，８を開いた状態で示している。内フラップ８，８及び外フラップ５，１０を閉じることで、組立箱１の上部を閉塞することができる。
【００１１】
図２に示すように、矩形状の底板２の後側縁には、後板３が折目線ａを介して連設され、底板２の前側縁には、前板４が折目線ｂを介して連設されている。後板３の後側縁には、後外フラップ５が折目線ｃを介して連設されている。後板３の左右側縁には、外側板６，６が折目線ｄを介して夫々連設されている。外側板６，６の前端縁には、内底板７，７が折目線ｅを介して夫々連設されている。外側板６，６の後端縁（上端縁）には、内フラップ８，８が折目線ｆを介して夫々連設されている。前板４の前端縁（上端縁）には、前外フラップ１０が折目線ｈを介して連設されている。前板４の左右両側縁には、内側板１１，１１が折目線ｉを介して夫々連設されている。
【００１２】
一方の内底板７の前端（先端）には、前方（先方）に向かって次第に幅が広く形成された凸部７ａが設けられている。他方の内底板７の前端（先端）には、凸部７ａの形状に対応させて前方（先方）に向かって次第に幅が狭くなるように形成された凹部７ｂが設けられている。
【００１３】
内側板１１には、長孔形状の貫通孔１２（係止孔）が開設されている。外側板６には、その一部から遊離する遊離片１３（係止片）が形成されている。遊離片１３は、内側板１１の貫通孔１２に対応する位置に形成されており、外側板６の一部から遊離して貫通孔１２に係止する係止部１４と、外側板６の一部から遊離したときに外側板６との連結状態を維持する連結部１５とを備えている。係止部１４は、貫通孔１２の長手方向に対応する長さ寸法が貫通孔１２より長く形成されており、連結部１５は貫通孔１２より短く形成されている。
【００１４】
貫通孔１２は、手指を挿入可能な大きさに形成されており、図１に示すように、組立箱１が箱形状となったときに手掛け口１６となる。手掛け口１６は、遊離片１３を貫通孔１２に係止させたときに、外側板６及び内側板１１の一部が開口されることにより形成される。
【００１５】
次に、組立箱１の組み立てについて説明する。図３を参照して、先ず、後板３を折目線ａに沿って折り曲げ、底板２に対して起立させる。このとき、後板３と共に外側板６も折目線ｅに沿って折り曲げ、内底板７に対して起立させた状態とする。
【００１６】
次いで、外側板６を折目線ｄに沿って内側に折り曲げ、後板３に対して直角となるようにして、外側板６同士を対向させる。このとき、内底板７は底板２の内面上（上面）に配置される。
【００１７】
続いて、図４に示すように、凸部７ａと凹部７ｂとを係合させる。本実施形態においては、凸部７ａと凹部７ｂとが本考案の係合部に該当する。なお、本考案の係合部は、凸部７ａと凹部７ｂとの形状に限らず、例えば、凸部を円盤状に形成し、凹部を凸部の円盤状に対応した形状としてもよい。
【００１８】
次いで、図５を参照して、内側板１１を折目線ｉに沿って折り曲げ、前板４に対して起立させる。そして、前板４を折目線ｂに沿って折り曲げ、底板２に対して起立させる。このとき、内側板１１を外側板６，６の内側に重合させる。
【００１９】
この状態で、内側板１１の貫通孔１２と、外側板６，６の遊離片１３とが重なって位置される。そして、遊離片１３の連結部１５を介して係止部１４を、外側板６の内面方向に遊離させ、更に、貫通孔１２を介して内方に押し込むようにして貫通孔１２に係止させる。
【００２０】
遊離片１３の係止部１４は、前述したように貫通孔１２の長手方向に対応する長さ寸法が貫通孔１２より長いので、貫通孔１２にしっかりと係止される。これにより、内側板１１と外側板６との重合状態が確実に維持され、前板４が前方に倒れることが防止される。よって、図１に示すように、組立箱１の上方の内フラップ８及び外フラップ５，１０を開いたままの状態であっても、組立箱１の組立て状態が確実に維持される。
【００２１】
また、遊離片１３が外側板６から遊離して貫通孔１２に係止されることにより、遊離片１３が遊離した部分で外側板６が貫通孔１２と共に開口し、手掛け口１６が形成される。これによって、手掛け口１６に手指を掛けて組立箱１を容易に持ち運ぶことができる。
【符号の説明】
【００２２】
１…組立箱、２…底板、３…後板、４…前板、６…外側板、７…内底板、７ａ…凸部（係合部）、７ｂ…凹部（係合部）、１１…内側板、１２…貫通孔（係止孔）、１３…遊離片（係止片）、１５…手掛け口。
【図１】
0003175537.tif 000003
【図２】
0003175537.tif 000004
【図３】
0003175537.tif 000005
【図４】
0003175537.tif 000006
【図５】
0003175537.tif 000007